(57)【要約】【課題】  ゴルファーがパッティング又はアプローチショットをする時、ヘッドアップを防止するものだが、視線が上下左右方向から一箇所に絞られることによって、集中力を高め、良い成績を得られるようにすることにある。【解決手段】  本発明のゴルフ用帽子は、ツバの底面両側に面ファスナーを付着し、面ファスナーに、“コ”の字を右９０度回転させた形状に形成された覆いの両側端部に付着された面ファスナーを固定接触するゴルフ用帽子で、使用時、ゴルフ用帽子のツバの底面に両側端が固定接着された覆いの一側の取っ手部を引っ張り、面ファスナーに接着された状態から離脱させれば、覆いの両側面の折り畳み部が拡げられると同時に、下端部覆い板も下降される。また、覆いが必要のない場合は、簡便に取っ手部の面ファスナーとツバの底面中央の一側の面ファスナーを接着させて、簡便で煩わしくないようゴルフ用帽子として使用することができるようになっている。【選択図】  図１
2005330636.tif 000002
【特許請求の範囲】
【請求項１】
前面にツバ（１０）の形成された公知のゴルフ用帽子において、前記ツバ（１０）の底面両側に面ファスナー（４０）を付着し、前記面ファスナー（４０）に、“コ”の字を右９０度回転させた形状に形成された覆い（２０）の両側端部に付着された面ファスナー（５０）を固定接着するのだが、前記覆い（２０）は、両側面に折り畳み部（２１）を各々形成して、これに補助板紙（３０）を接着し、前記両側の折り畳み部（２１）の前方一側に一定幅の下端部覆い板（２２）を連結設置するのだが、前記下端部覆い板（２２）の中央一側に面ファスナー（５０’）が付着され、両側端面に各々切断線（２３）の形成された取っ手部（２４）を形成し、前記取っ手部（２４）の面ファスナー（５０’）が接着されるように、ツバ（１０）の底面中央の一側に面ファスナー（４０’）を付着して結合されることを特徴とするゴルフ用帽子。
【請求項２】
前記ツバ（１０）の中央部に通孔（１１）を形成し、前記通孔（１１）から押さえ具（６０）と作動具（７０）とを結合挿設するのだが、前記ツバ（１０）の底面の作動具（７０）の周辺に面ファスナー（８０）を付着し、前記“コ”の字を右９０度回転させた形状の覆い（２０）の下側に形成された下端部覆い板（２２）の中央一側に面ファスナー（９０）を付着し、前記折り畳み部（２１）の内側に各々補助板紙（３０）を接着して結合されることを特徴とする特許請求の範囲第１項に記載のゴルフ用帽子。
【発明の詳細な説明】
【技術分野】
【０００１】
本発明は、ゴルフ用帽子に関するもので、特に、ゴルファーがゴルフ用帽子を被ってグリーンとグリーンの周辺でパッティングとアプローチショットをする時、ゴルフ用帽子のツバの底面に接着設置された覆いを簡便に作動させ、折り畳まれた状態の両側面の折り畳み部と下端部覆い板を拡げると、ゴルファーの視線が上、下、左、右方向から一箇所に集められるので、集中力が高くなり、ヘッドアップを防止して、正確なパット線を読めるのは勿論、ゴルフのボールにだけ視線を集中した状態でパッティングまたはアプローチショットができるので、ミスショットを予防し、良い成績が収められるように成った、ゴルフ用帽子に関する発明である。
【背景技術】
【０００２】
従来のゴルフ用帽子は、ゴルファーの日差しを遮る役割にだけ使用されていたが、最近は、スイング動作時、ヘッドアップを防止するために考案されたゴルフ用帽子があって、先登録としての特許文献１で、ゴルフ用帽子のツバの一側端に覆い板を一体に延長構成したものがあるのだが、先登録は、前記覆い板を使用時、連結部を片軸として回動する時、構造上空間部が発生し、視線の側面部を正確に覆い隠せないという短所のため、グリーンで実際に使用する時、望みの集中力や効果を得ることができないという問題点があった。
【０００３】
また、特許文献２では、既存の帽子に左、右側を覆うことのできる布材質の防止窓が付着されているが、前記防止窓が移動時や、動作時、ユラユラと揺れるので、実際に使用する時、却って視野を困難に反応させて集中力が落ちるので、良い成績を得ることができないのは勿論、不便な問題点があった。
【０００４】
また、ゴルフ用帽子のツバの底面両側に、面ファスナーを利用して折り畳まれる覆いを設置した、本出願人の先出願があるが、先出願は、ゴルファーの両側の視野を覆い隠すことはできるが、前、後方の視線を固定させてはくれないので、完璧な効果を得ることができないという問題点などがあった。
【特許文献１】大韓民国実用新案登録第２２９１３６号
【特許文献２】大韓民国公開特許２００２−４６２４５号
【発明の開示】
【発明が解決しようとする課題】
【０００５】
本発明は、前記のような従来の問題点を解決するために発明されたもので、本発明の目的は、ゴルファーがパッティングとアプローチショットをする時、ヘッドアップを防止するものだが、視線が上、下、左、右方向から一箇所に集められるので、集中力を高め、良い成績を得られるようにすることにその目的があるもので、前面にツバの形成された公知のゴルフ用帽子において、前記ツバの底面両側に面ファスナーを付着し、前記面ファスナーに、“コ”の字を右９０度回転させた形状に形成された覆いの両側端部に付着された面ファスナーを固定接触するのだが、前記覆いは、両側面に折り畳み部を各々形成して、これに補助板紙を接着し、前記両側の折り畳み部の前方一側に一定幅の下端部覆い板を連結設置するのだが、前記下端部覆い板の中央一側に面ファスナーが付着され、両側端面に各々切断線の形成された取っ手部を形成し、前記取っ手部の面ファスナーが接着されるように、ツバの底面中央の一側に面ファスナーを付着して結合されたゴルフ用帽子で、ゴルファーがゴルフ用帽子を被ってグリーンとグリーンの周辺でパッティングとアプローチショットをする時、ゴルフ用帽子のツバの底面に両側端が固定接着された覆いの一側の取っ手部を引っ張り、面ファスナーに接着された状態から離脱させれば、覆いの両側面の折り畳み部が拡げられると同時に、下端部覆い板も下降されるのだが、前記ツバと下端部覆い板および両側の折り畳み部によって、ゴルファーの視線が上、下、左、右方向から一箇所に集められるので、集中力が高くなり、ヘッドアップを防止して、正確なパット線を読むことができ、ゴルフのボールにだけ視線を集中した状態でパッティングまたはアプローチショットができるので、ミスショットを予防するのは勿論、集中力による良い成績を収めることができる効果があるもので、覆いが必要のない場合は、簡便に取っ手部の面ファスナーとツバの底面中央の一側の面ファスナーを接着させて、簡便で煩わしくないようゴルフ用帽子として使用することができるように成った、ゴルフ用帽子に関する発明である。
【課題を解決するための手段】
【０００６】
本発明に係る情報表示装置は、上記課題を解決するために、前面にツバ１０の形成された公知のゴルフ用帽子において、前記ツバ１０の底面両側に面ファスナー４０を付着し、前記面ファスナー４０に、“コ”の字を右９０度回転させた形状に形成された覆い２０の両側端部に付着された面ファスナー５０を固定接着するのだが、前記覆い２０は、両側面に折り畳み部２１を各々形成して、これに補助板紙３０を接着し、前記両側の折り畳み部２１の前方一側に一定幅の下端部覆い板２２を連結設置するのだが、前記下端部覆い板２２の中央一側に面ファスナー５０’が付着され、両側端面に各々切断線２３の形成された取っ手部２４を形成し、前記取っ手部２４の面ファスナー５０’が接着されるように、ツバ１０の底面中央の一側に面ファスナー４０’を付着して結合されることを特徴とする。
【０００７】
また、前記ツバ１０の中央部に通孔１１を形成し、前記通孔１１から押さえ具６０と作動具７０とを結合挿設するのだが、前記ツバ１０の底面の作動具７０の周辺に面ファスナー８０を付着し、前記“コ”の字を右９０度回転させた形状の覆い２０の下側に形成された下端部覆い板２２の中央一側に面ファスナー９０を付着し、前記折り畳み部２１の内側に各々補助板紙３０を接着して結合されることが好ましい。
【発明の効果】
【０００８】
本発明のゴルフ用帽子１は、ゴルファーが着用してグリーンで移動中の時や、運動をする時、太陽から顔面の皮膚を保護してくれる効果は勿論、ゴルファーがグリーンとグリーンの周辺でパッティングとアプローチショットをする時、また、パッティングアドレス前にホールカップ前後で、各々傾斜面と傾斜角度などを確認するパット線の確認時、視線を正面にだけ集中させなければ、正確なパット線が読めないだけでなく、パット線の確認後、パッティングアドレス状態で、視線がゴルフのボールだけを凝視しなければ集中力のあるパッティングができないので、ゴルファーがゴルフ用帽子１のツバ１０に折り畳み及び接着状態であった覆い２０の取っ手部２４を掴み、面ファスナー４０’、５０’から離脱させ落ちるようにすると同時に、折り畳み状態の折り畳み部２１を拡げると、ゴルファーの視線がツバ１０と両側面の折り畳み部２１及び下端部覆い板２２の内側に集まる。つまり、ゴルファーの視線が上、下、左、右方向から一箇所に絞られるので、ゴルファーの視線をゴルフのボールや、正面にだけ完璧に集中させることができるようにすることによって、ゴルファーが散漫にならず、集中力を持ってパッティングまたはアプローチショットができ、ゴルフのボールの後部の地面を打撃するなどのミスショットを予防するのは勿論、ヘッドアップを防止して、集中力のある、大変正確なパッティングまたはアプローチショットができ、良い成績を収めることができる効果があるものであり、前記両側面の折り畳み部２１に補助板紙３０を各々設置することによって、折り畳み部２１が拡げられた後、再度復元される時、正確な復元力を得ることができ、折り畳み角度を継続して維持することができる効果があるものである。
【０００９】
本発明は、特に初歩者の場合や、コンディションが悪くて集中力が落ちることのあるゴルファーたちに大変効果的なものである。
【００１０】
そして、ティーショットするためのティーインググラウンドからグリーンの周辺に至る前のフェアウェイでは必要によって使用でき、移動に際してゴルフ場の周辺の景色を満喫するためには、ゴルフ用帽子１のツバ１０の底面で覆い２０を各々の面ファスナー４０，５０で固定接着させるのは勿論、取っ手部２４も面ファスナー４０’、５０’に接着させ、不便なく、通常のゴルフ用帽子として使用することができるもので、必要によって使用でき、大変簡便な効果のある発明である。
【００１１】
また、帽子の蓋のないバンド型のゴルフ用帽子のツバの底面に設置して使用しても同様の効果を得ることができる、大変優れた発明である。
【００１２】
図８は、他の実施例で、ゴルフ用帽子１の前記ツバ１０の中央部に通孔１１を形成し、前記通孔１１から押さえ具６０と作動具７０とを結合挿設するのだが、前記ツバ１０の底面の作動具７０の周辺に面ファスナー８０を付着し、前記“コ”の字を右９０度回転させた形状の覆い２０の下側に形成された下端部覆い板２２の中央一側に面ファスナー９０を付着し、前記折り畳み部２１の内側に各々補助板紙３０を接着して結合されたゴルフ用帽子１’で、ゴルファーがゴルフ用帽子１’を着用後、パッティングとアプローチショットをする時、ゴルフ用帽子１’のツバ１０に折り畳み及び接着状態にあった覆い２０を離脱時、通孔１１に挿設された押さえ具６０を押すと、前記押さえ具６０に挿設された作動具７０が、接着された面ファスナー８０，９０を相互剥がれるように押しだして分離されるようにすると同時に、折り畳み状態の折り畳み部２１を拡げると、ゴルファーの視線がツバ１０と両側面の折り畳み部２１及び下端部覆い板２２の内側に集まる。つまり、ゴルファーの視線が上、下、左、右方向から一箇所に絞られるので、ゴルファーの視線がゴルフのボールや、正面にだけ完璧に集中されるようにすることができるので、ゴルファーが散漫にならず、集中力を持ってパッティングまたはアプローチショットでき、ゴルフのボールの後部の地面を打撃するなどのミスショットを予防するのは勿論、ヘッドアップを防止し、集中力のある、大変正確なパッティングまたはアプローチショットができ、良い成績を収めることができる効果があるものであり、特に覆い２０を拡げる動作が簡便である効果があるもので、前記両側面の折り畳み部２１の内側に補助板紙３０を各々設置することによって、外観上見た目がよいのは勿論、折り畳み部４１が拡げられた後、再度復元する時、正確な復元力が得られ、折り畳み角度を継続して維持することのできる、大変効果の優れた発明である。
【発明を実施するための最良の形態】
【００１３】
前面にツバ１０の形成された公知のゴルフ用帽子において、前記ツバ１０の底面両側に面ファスナー４０を付着し、前記面ファスナー４０に、“コ”の字を右９０度回転させた形状に形成された覆い２０の両側端部に付着された面ファスナー５０を固定接着する。
【００１４】
なお、上記“コ”の字を右９０度回転させた形状とは、下記に示す形状である。
【００１５】
【表１】
2005330636.tif 000003
【００１６】
前記覆い２０は、両側面に折り畳み部２１を各々形成して、これに補助板紙３０を接着し、前記両側の折り畳み部２１の前方一側に一定幅の下端部覆い板２２を連結設置するのだが、前記下端部覆い板２２の中央一側に面ファスナー５０’が付着され、両側端面に各々切断線２３の形成された取っ手部２４を形成し、前記取っ手部２４の面ファスナー５０’が接着されるように、ツバ１０の底面中央の一側に面ファスナー４０’を付着して結合されたゴルフ用帽子１の構成である。
【００１７】
このように構成された本発明のゴルフ用帽子１は、ツバ１０の底面に“コ”の字を右９０度回転させた形状に形成された覆い２０が面ファスナー４０，５０によって相互固定された状態で、覆い２０が折り畳み部２１によって両側面に折り畳まれ、及び下端部覆い板２２の中央一側に付着された面ファスナー５０’がツバ１０の底面中央の一側に付着された面ファスナー４０’と接着された状態で維持されるので、ゴルファーが着用して移動中、グリーンとグリーンの周辺でパッティングとアプローチショットをする時、ゴルフ用帽子１のツバ１０の底面に接着された状態である下端部覆い板２２の中央一側の取っ手部２４を引っ張ると、取っ手部２４の両側端面の切断線２３によって取っ手部２４が簡単かつ無理なく、接着された面ファスナー４０’、５０’から離脱されると同時に、覆い２０の両側面の折り畳み部２１が拡げられるのだが、この時、ゴルファーの視線が自然とツバ１０と下端部覆い板２２及び両側面の折り畳み部２１の内側へと集まる。つまり、上、下、左、右方向から一箇所に絞られるので、ゴルファーは視線が散漫にならず、高い集中力を持って運動ができることは勿論、集中力が高まり、ヘッドアップを防止し、正確なパット線を読め、ゴルフのボールにだけ視線が集中されるので、正確なパッティングまたはアプローチショットをするにおいて、ミスショットを予防することができるように成ったもので、前記両側面の折り畳み部２１に数ヶ所だけ接着された状態で各々設置された補助板紙３０は、折り畳み部２１が拡げられる時、一定量以上無理に拡がらないように制御作用をするのは勿論、折り畳み部２１が拡げられた後、折り畳み線が維持されず、復元されないという弊害をなくして、復元時、正確に復元され、折り畳み角度を継続して維持できるように設置したものである。
【００１８】
図８は他の実施例で、ゴルフ用帽子１の前記ツバ１０の中央部に通孔１１を形成し、前記通孔１１から押さえ具６０と作動具７０とを結合挿設するのだが、前記ツバ１０の底面の作動具７０の周辺に面ファスナー８０を付着し、前記“コ”の字を右９０度回転させた形状の覆い２０の下側に形成された下端部覆い板２２の中央一側に面ファスナー９０を付着し、前記折り畳み部２１の内側に各々補助板紙３０を接着して結合されたゴルフ用帽子１’で、上述のように、ゴルファーがゴルフ用帽子１’を着用して移動中、グリーンとグリーンの周辺でパッティングとアプローチショットをする時、ゴルフ用帽子１’のツバ１０の中央の通孔１１に挿設された押さえ具６０を押すと、押さえ具６０に挿設された作動具７０が面ファスナー８０，９０に接着された状態を相互離脱させて剥がずので、ツバ１０に折り畳み及び接着された状態であった覆い２０が簡単に拡がることになるのだが、この時ゴルファーの視線が自然にツバ１０と下端部覆い板２２及び両側面の折り畳み部２１の内側に集まる。つまり、上、下、左、右方向から一箇所に絞られるので、ゴルファーは視線が散漫にならず、高い集中力を持って運動ができるのは勿論、集中力が高まり、ヘッドアップを防止し、正確なパット線が読め、ゴルフのボールにだけ視線が集中されるので、正確なパッティングまたはアプローチショットをするにおいて、ミスショットを予防できるようになったもので、特に作動がより便利で、前記両側面の折り畳み部４１の内部に数ヶ所だけ接着された状態で各々補助板紙３０を設置することによって、従来のように、外部に設置されて見た目が良くなかった問題点を解決し、折り畳み部２１が拡がる時、一定量以上無理に拡がらないように制御作用をするのは勿論、折り畳み部２１が拡げられた後、折り畳み線が維持されず、復元されないという弊害をなくして、復元時、正確に復元され、折り畳み角度を継続して維持できるように設置したものである。
【００１９】
本発明は、ゴルフ用帽子に関するもので、特に、ゴルファーがパッティングまたはアプローチショットをする時、ヘッドアップを防止するものだが、視線が上、下、左、右方向から一箇所に絞られることによって、集中力を高め、良い成績を得られるようにすることにその目的があるもので、前面にツバの形成された公知のゴルフ用帽子において、前記ツバの底面両側に面ファスナーを付着し、前記面ファスナーに、“コ”の字を右９０度回転させた形状に形成された覆いの両側端部に付着された面ファスナーを固定接触するのだが、前記覆いは、両側面に折り畳み部を各々形成して、これに補助板紙を接着し、前記両側の折り畳み部の前方一側に一定幅の下端部覆い板を連結設置するのだが、前記下端部覆い板の中央一側に面ファスナーが付着され、両側端面に各々切断線の形成された取っ手部を形成し、前記取っ手部の面ファスナーが接着されるように、ツバの底面の中央一側に面ファスナーを付着して結合されたゴルフ用帽子で、ゴルファーがゴルフ用帽子を被ってグリーンとグリーンの周辺でパッティングとアプローチショットをする時、ゴルフ用帽子のツバの底面に両側端が固定接着された覆いの一側の取っ手部を引っ張り、面ファスナーに接着された状態から離脱させれば、覆いの両側面の折り畳み部が拡げられると同時に、下端部覆い板も下降されるのだが、前記ツバと下端部覆い板および両側の折り畳み部によって、ゴルファーの視線が上、下、左、右方向から一箇所に集められるので、集中力が高くなり、ヘッドアップを防止して、正確なパット線を読むことができ、ゴルフのボールにだけ視線を集中した状態でパッティングまたはアプローチショットができるので、ミスショットを予防するのは勿論、集中力による良い成績を収めることができる効果があるもので、覆いが必要のない場合は、簡便に取っ手部の面ファスナーとツバの底面中央の一側の面ファスナーを接着させて、簡便で煩わしくないようゴルフ用帽子として使用することができるように成った、ゴルフ用帽子に関する発明である。
【図面の簡単な説明】
【００２０】
【図１】本発明の分解斜視図である。
【図２】本発明が設置され拡げられた状態を示した底面例示図である。
【図３】本発明が設置され折り畳まれた状態を示した底面例示図である。
【図４】本発明が設置され折り畳まれた状態の正面例示図である。
【図５】本発明が設置され拡げられた状態の正面例示図である。
【図６】本発明が設置され拡げられた状態の側面例示図である。
【図７】本発明を着用したゴルファーの使用状態を示した例示図である。
【図８】他の実施例の分解斜視図である。
【図９】図８が設置され拡げられた状態を示した底面例示図である。
【図１０】図８が設置され折り畳まれた状態を示した底面例示図である。
【図１１】図８が設置され折り畳まれた状態の正面例示図である。
【図１２】図８が設置され拡げられた状態の正面例示図である。
【図１３】図８が設置され拡げられた状態の側面例示図である。
【符号の説明】
【００２１】
１，１’    ゴルフ用帽子
１０        ツバ
１１        通孔
２０        覆い
２１        折り畳み部
２２        下端部覆い板
２３        切断線
２４        取っ手部
３０        補助板紙
４０，４０’，５０，５０’，８０，９０    面ファスナー
６０        押さえ具
７０        作動具
【図１】
2005330636.tif 000004
【図２】
2005330636.tif 000005
【図３】
2005330636.tif 000006
【図４】
2005330636.tif 000007
【図５】
2005330636.tif 000008
【図６】
2005330636.tif 000009
【図７】
2005330636.tif 000010
【図８】
2005330636.tif 000011
【図９】
2005330636.tif 000012
【図１０】
2005330636.tif 000013
【図１１】
2005330636.tif 000014
【図１２】
2005330636.tif 000015
【図１３】
2005330636.tif 000016